【手続補正書】
【提出日】平成20年2月5日(2008.2.5)
【手続補正１】
【補正対象書類名】特許請求の範囲
【補正対象項目名】全文
【補正方法】変更
【補正の内容】
【特許請求の範囲】
【請求項１】
複数の操作項目を記した画面をディスプレイに表示し、選択された一の項目に基づいて次の操作項目を記した画面をこのディスプレイに表示する工程を複数回繰り返した後、所望の操作を電化製品等装置に実行させるための操作設定装置において
一の画面の操作項目の選択により他の一の画面が表示される操作履歴の存在によって、この他の一の画面をこの一の画面と入れ替えて先にディスプレイに表示するように画面構成を行うことを特徴とする操作設定装置。
【請求項２】
前記他の一の画面が、前記一の画面における操作項目をより緻密に設定する操作項目を設けた画面でなり、この他の一の画面をこの一の画面と入れ替えて先にディスプレイに表示する際にこの他の一の画面内に、この一の画面に戻る操作を与える項目を加入しておくものとする請求項１記載の操作設定装置。
【請求項３】
複数の操作項目を記した画面をディスプレイに表示し、選択された一の項目に基づいて次の操作項目を記した画面をこのディスプレイに表示する工程を複数回繰り返した後、所望の操作を電化製品等装置に実行させるための操作設定装置において、
前記所望の操作の実行履歴を記憶して、ある一の画面の操作項目にこの実行履歴を操作可能とする選択項目を加えることで、過去の操作履歴に基づく操作を可能とすることを特徴とする操作設定装置。
【請求項４】
選択項目が文字又は写真で記される請求項１〜請求項３何れか１項記載の操作設定装置。
【請求項５】
請求項１〜請求項４何れか１項記載の操作設定装置を搭載したデジタルカメラを含む
電化製品等装置。
【手続補正２】
【補正対象書類名】明細書
【補正対象項目名】全文
【補正方法】変更
【補正の内容】
【発明の詳細な説明】
【発明の名称】高難易度設定簡易化装置
【技術分野】
【０００１】
本発明は、操作が難しい装置（操作高難易度装置）を簡単に操作するための操作システム（装置）と、操作を通じてさらにその操作を簡易化する操作簡易化システム（装置）に関する。
【背景技術】
【０００２】
多機能で複雑化した電化製品や特殊装置は現代では非常に多く存在するが、多機能や高機能の装置を簡単に操作することができるようにするシステムについては、現在のところ充分なものがなく、多機能な装置を使いこなすには、取扱い説明書を正確に習得する必要がある。
特にデジタルカメラは、一般の人が利用するには設定が複雑で性能を充分に発揮させることは難しい。例えば、撮影条件に依存する設定が高度であり、自動検出センサーでは検出不可能な多種多様な環境やユーザーの希望する映像表現に対応することができない。すなわち、自動設定モードがいくら高度化しても、種々ある撮影手法に対応した目的にあった適切な撮影ができず、デジタルカメラの性能を充分に発揮できないのが実状である。
【特許文献１】特開２００１−２３８０９７号公報
【発明の開示】
【発明が解決しようとする課題】
【０００３】
本発明の課題は、時間がかかっていた操作設定を操作回数を重ねることで簡易化させることである。
【課題を解決するための手段】
【０００４】
本発明は、複数の操作項目を記した画面をディスプレイに表示し、選択された一の項目に基づいて次の操作項目を記した画面をこのディスプレイに表示する工程を複数回繰り返した後、所望の操作を電化製品等装置に実行させるための操作設定装置について、一の画面の操作項目の選択により他の一の画面が表示される操作履歴の存在によって、この他の一の画面をこの一の画面と入れ替えて先にディスプレイに表示するように画面構成を行うことを特徴とする操作設定装置である。
また、前記他の一の画面が、前記一の画面における操作項目をより緻密に設定する操作項目を設けた画面でなり、この他の一の画面をこの一の画面と入れ替えて先にディスプレイに表示する際にこの他の一の画面内に、この一の画面に戻る操作を与える項目を加入しておくものとする操作設定装置である。
さらに、複数の操作項目を記した画面をディスプレイに表示し、選択された一の項目に基づいて次の操作項目を記した画面をこのディスプレイに表示する工程を複数回繰り返した後、所望の操作を電化製品等装置に実行させるための操作設定装置について、前記所望の操作の実行履歴を記憶して、ある一の画面の操作項目にこの実行履歴を操作可能とする選択項目を加えることで、過去の操作履歴に基づく操作を可能とすることを特徴とする操作設定装置である。
これらの操作設定装置における選択項目は、文字又は写真で記されるものとすることができる。
本発明はさらに、これらの操作設定装置を搭載したデジタルカメラを含む電化製品等装置である。
【発明の効果】
【０００５】
従来満足できなかった機器設定が改善される。また、操作の反復を簡易化することができ、選択肢を用いた設定手法の短所であった設定に時間がかかるという問題を解決することができる。
【発明を実施するための最良の形態】
【０００６】
本発明は、電化製品や特殊装置の操作設定を行うにあたり、コンピューターによる制御画面において、文章や音声、動画による選択肢が提示される中から選択して設定するシステムであって、一般に操作が難しいこれらの装置等に関するものであるが、ユーザーの撮影対象の違いで設定が多様化するデジタルカメラに適しているので、デジタルカメラを想定して説明する。なお、本発明は従来のカメラの機能を損なうものではない。
本発明が実現するデジタルカメラにおける操作法は、ユーザーがモニター画面の選択肢を通して使用目的や撮影環境等の条件を決めてゆき、マイクロコンピューターが撮影に適した撮影設定をするものである。
【０００７】
図１は、デジタルカメラのモニター画面に表示され、ユーザーが項目を選択して設定操作を進めていくために表示される文章の例を示すとともに、構成画面の深さを示し画面ごとのつながりを表している。
図１等における「１回目」、「２回目」という表示は、設定を進めていく構成画面の深さを示す。また、「⇔」という表示は、並んで表示されている項目から１つが選択されるという意味である。
図１、図２で示す「０画面」は、装置の電源を入れた時に出てくる初期画面である。  図１、図３で示す「０−１画面」は、０画面で選択肢の１を選ぶと出てくる画面である。
図１、図４で示す「０−１−１画面」は、０−１画面で選択肢の１を選ぶと出てくる画面である。
図１、図５で示す「０−１−１−１画面」は、０−１−１画面で選択肢の１を選ぶと出てくる画面である。
図１、図６で示す「０−１−１−１−１０画面」は、０−１−１−１画面で選択肢の１０を選ぶと出てくる画面である。
図１、図８で示す「０−１−２画面」は、０−１画面で選択肢の２を選ぶと出てくる画面である。
図１、図９で示す「０−１−３画面」は、０−１画面で選択肢の３を選ぶと出てくる画面である。
図１、図１０で示す「０−１−４画面」は、０−１画面で選択肢の４を選ぶと出てくる画面である。
図１で示す「０−１−２−１画面」は、０−１−２画面で選択肢の１を選ぶと出てくる画面である。
図１で示す「０−１−２−１−１０画面」は、０−１−２−１画面で選択肢の１０を選ぶと出てくる画面である。
図１で示す「０−１−３−１画面」は、０−１−３画面で選択肢の１を選ぶと出てくる画面である。
図１で示す「０−１−３−１−１０画面」は、０−１−３−１画面で選択肢の１０を選ぶと出てくる画面である。
図１で示す「０−１−４−９画面」は、０−１−４画面で選択肢の９を選ぶと出てくる画面である。
【０００８】
装置に電源が入ると、まず最初（１回目）に最初の画面（０画面）（図２参照）に
[１、カメラ撮影。２、動画撮影。３、再生。４、従来操作法に変更。]
と表示される。今後の説明において、この１回目、０画面を（１回目；０画面）のように示す。他の画面も同様に表記する。
初めて電源が投入される場合、本体に時間設定がされていないので、「５、時間設定。」がこれらの項目に追加表示されている。
ここで「１、カメラ撮影。」を選択すると、次の画面（２回目；０−１画面）（図３参照）は、
[１、シーンで選ぶ。２、写真で選ぶ。３、お気に入りで選ぶ。４、新規設定。５、戻る。]
と表示される。
【０００９】
スキー場で人物と背景写真を撮る場合には、（１回目；０画面）（図２）で「１、カメラ撮影」、（２回目；０−１画面）（図３）で「１、シーンで選ぶ。」、（３回目；０−１−１画面）（図４）で「９、さらに詳しく選択。」、（４回目；０−１−１−９画面）（図７）で「１、必須設定。」を選択し、（５回目；０−１−１−９−１画面）（図１１）で「２、撮影対象；静止⇔動く被写体。」の「動く被写体」を選択し、（４回目；０−１−１−９画面）（図７）に戻り、「３、野外； g雪。」を選択すると、ようやく撮影が可能になる。
【００１０】
そして、もう一度同じ操作をする場合には、（１回目；０画面）が「１、カメラ撮影；雪、動く被写体。2、動画撮影。３、再生。４、直接操作に変更。」となり、項目の内容がユーザーの使い易いように変更される。そして、「１、シーンで選ぶ。」、「９、さらに詳しく選択。」は内容の簡易化のため省略される。
【００１１】
（２回目；０−１画面）（図３）の「２、写真で選ぶ。」は文字の変わりにイメージ的な写真で選択をするものである。撮影条件が写真サンプルで羅列されており、撮りたい環境の写真をスクロールして探してゆき選択すると、その写真で表現されている環境で撮影するのに必要な設定が施される。
【００１２】
（２回目；０−１画面）（図３）の「３、お気に入りで選ぶ。」は、前もって「４、新規設定。」で設定し撮影したものを同様な設定で撮影する項目で、撮影内容を記憶させておくものである。この画面では以前に撮影し記録された写真をスクロールして選択し、以前に設定した内容で撮影を行うものである。すなわち、写真データとカメラ設定データが関連して保存されることになる。
【００１３】
ここの選択項目の中に操作の技能力のパラメーターが存在する。「２、写真で選ぶ。」は操作技能度が一番低く、次に「１、シーンで選ぶ。」であり、「３、お気に入りで選ぶ。４、新規設定。」が同格で操作技能力が高いことになる。そしてそれぞれの項目の内容は操作技能に対応した用語や内容で項目が構成されていく。例えば、操作技能度が低い場合は「ピント」と表現し操作技能度が高い場合は「フォーカス」という表現で使い分けをする。
【００１４】
選択項目画面の操作の中にシーン選択の項目が（３回目；０−１−１画面）（図４）と（４回目；０−１−１−９画面）（図７）の２箇所に存在する。（３回目；０−１−１画面）の構成は素早く簡潔に設定を済ませることを目的とした内容になっている。（４回目；０−１−１−９画面）では（３回目；０−１−１画面）に含まれる内容は網羅しており、（３回目；０−１−１画面）の内容をさらに緻密に設定する内容になっている。
（３回目；０−１−１画面）（図４）のシーン選択画面「９、さらに詳しく選択。」の文章に技能優先のパラメーターがあり、これを選んだということは、ユーザーは安易に素早く設定する方法よりも緻密に設定したいということである。（３回目；０−１−１画面）の内容を網羅している、（４回目；０−１−１−９画面）があれば、（３回目；０−１−１画面）が必要なくなるので、（３回目；０−１−１画面）を先に表示するのをやめ、（４回目；０−１−１−９画面）に「６、より簡単な選択に戻る。」という項目を追加し画面の出てくる３回目と４回目の順序を置き換える。すなわち設定を繰り返す過程で、このようにユーザーの必要としている形に操作設定構成を変えることでユーザーが使いやすい装置に変わってゆく操作設定法である。
換言すれば、文章や音声や映像を介しての操作設定過程でユーザーの設定に対応して設定内容の構成を変更してゆく装置設定システムであり、ユーザーの要求や操作の熟練度に差がある場合にも対応できるように操作設定手順が用意されていて、設定構成の中にユーザーの意図、及び操作技能の程度を判断できる内容の文章や音声や映像の選択肢を設定しておき、ユーザーの選択に対応して設定構成を変更して操作設定の利便性を向上させるシステムである。  
【００１５】
さて、ここ（２回目；０−１画面）で「１、シーンで選ぶ」を選択すると、次の画面（３回目；０−１−１画面）（図４参照）は、
[１、必須設定。２、野外。３、人物。４、スキー場。５、夜景。６、夜景と人物。７、花火。８、キャンドル。９、さらに詳しく選択。１０、戻る。]
と表示される。
【００１６】
ユーザーは、ここ（３回目；０−１−１画面）で必須設定を変更するか、もしくは無変更で良いと判断した上で、他項目を選択する手順になる。
「１、必須設定。」を選択すると、さらに次の画面（４回目；０−１−１−１画面）（図５参照）になり、「ここで設定された内容は自動的に変更される事もあります。」という注意書きが表示される。これは、ここの項目を選択した後（必須設定をした後）にシーン選択をすると設定に矛盾が発生する場合があるので、シーン設定を優先するためこの表示を行うのである。
【００１７】
この画面（４回目；０−１−１−１画面）は、この注意書きとともに、
[１、撮影対象；静止⇔動く被写体。２、ストロボ；発光⇔停止⇔自動。発光量；強く⇔標準⇔弱く。赤目防止；オン⇔オフ。ストロボ色補正；オン⇔オフ。３、ピント１；中央１点（手前に人物）⇔中央に分散⇔直接キー。ピント２；ゆっくり正確⇔早く。４、タイマー撮影；オン⇔オフ⇔直接キー。５、明暗の強調；強⇔標準⇔弱。６、特殊効果；標準⇔セピア⇔モノトーン⇔ぼかし調。７、接写；オン⇔オフ。８、画像サイズ；Eメール⇔１M⇔２M⇔３M⇔５M⇔７M⇔直接キー。９、手振れ防止；オン⇔オフ。１０、解説。１１、戻る。]
と表示される。
【００１８】
「３、ピント１・・・・」には「直接キー」との表示があるが、これを選択すると、画面の選択キーからではなく、装置の表面に付けられた操作キー（直接キー）で直接操作ができるようになる。切り替わった操作キーの場所は、イラストや写真により表示したり、操作キーをLEDなどにより点滅させるなどして示すことができる。
【００１９】
ここ（４回目；０−１−１−１画面）で「１０、解説。」を選択すると、次の画面（５回目；０−１−１−１−１０画面）（図６参照）は、（４回目；０−１−１−１画面）に記された項目における難しい用語の説明が表示される。
例えば、
[＊赤目防止；ストロボ撮影で目が赤く写ってしまう事がありますが、それを軽減する事が出来ます。
＊ストロボ色補正；ストロボは発色に色むらがある為に補正する機能です。
＊セピア；古く暖かいイメージの色合いの写真にします。
＊モノトーン；白黒調の写真にします。
＊戻る。]
のような形で表示される。
【００２０】
さて、前の画面（３回目；０−１−１画面）（図４）に戻り、
「９、さらに詳しく選択。」を選ぶと、その次の画面（４回目；０−１−１−９画面）（図７参照）は、
[１、必須設定。２、室内；a電球、b蛍光灯、c暗い室内、dスポットライト、eキャンドル。３、野外；a晴、b晴逆光、c曇、d曇逆光、e夜景、f朝、g雪、h花火、i星空、j水中、k山岳風景。４、スポーツ観戦；a昼、bナイター。５、戻る。]
と表示される。ここでは選択内容が非常に詳しくなってより細かい選択ができるようになる。「１、必須設定。」については、先に説明した（４回目；０−１−１−１画面）での内容と同じである。
【００２１】
ここで（２回目；０−１画面）（図３）に戻り「２、写真で選ぶ。」を選択する。
この画面（３回目；０−１−２画面）（図８参照）の選択項目は、（２回目；０−１画面）（図３）での「１、シーンで選ぶ。」で選択した（３回目；０−１−１画面）（図４）と同様の設定内容となるが、文字の代わりにイメージ的な写真が表示され、この写真を選択をすることになる。すなわち、（３回目；０−１−１画面）（図４）と同様な撮影条件が写真サンプルで羅列されており、撮りたい環境の写真をスクロールして探して選択すると、その写真で表現されている環境で撮影するのに必要な設定が施される。
【００２２】
（２回目；０−１画面）（図３）の「３、お気に入りで選ぶ。」は、前もって「４、新規設定。」で設定し撮影したのと同様の設定で撮影するための選択項目である。「３、お気に入りで選ぶ。」を選択した次の画面（３回目；０−１−３画面）（図９参照）では以前に撮影したことで記録された写真が表示され、これをスクロールして選択すると、以前に撮影した時の設定内容で撮影が可能となる。すなわち、写真データとカメラ設定データが関連して保存されている。
【００２３】
そして（２回目；０−１画面）（図３）で、「４、新規設定。」を選択すると、次の画面（３回目；０−１−４画面）（図１０参照）には「この設定は自動的に変更される事があります。」と注意書きが表示されるとともに、
[１、色調（光源）の選択；白熱球⇔蛍光灯⇔ハロゲン球⇔スポットライト⇔水銀灯⇔ブラックライト⇔晴れ⇔曇り⇔スキー場⇔夜景⇔朝⇔花火⇔星空⇔水中⇔山岳風景⇔ホワイトバランス手動調整。２、ストロボ；発光⇔停止⇔自動⇔自動逆光補正。発光量；強く⇔標準⇔弱く。赤目防止；オン⇔オフ。ストロボ色補正；オン⇔オフ。３、タイマー撮影；オン⇔オフ⇔直接キー。４、絞り；自動⇔開放（ピント強調）⇔中間⇔絞り最小。明るさ自動１；手前⇔背景。明るさ自動２（シャッタースピード）；＋２⇔＋１⇔０⇔−１⇔−２⇔スローシャッター手動設定。５、フォーカス；自動⇔０.５⇔１⇔３⇔７⇔∞⇔直接キー。フォーカス自動１；中央１点⇔中央に分散。フォーカス自動２；ゆっくり正確⇔早く。６、接写；オン⇔オフ⇔直接キー。７、コントラスト；強⇔標準⇔弱。特殊効果；標準⇔セピア⇔モノトーン⇔ポートレート。８、画像サイズ；Eメール⇔１M⇔２M⇔３M⇔５M⇔７M⇔直接キー。９、解説。１０、戻る。]
が表示される。
【００２４】
「５、フォーカス；自動⇔０.５⇔１⇔３⇔７⇔∞⇔直接キー。」の「直接キー」を選択すると、フォーカスを外装の操作キーで手動調整することになる。他の選択項目における「直接キー」についても同様で、外装の操作キーを割り当て、直接操作を可能とする。
【００２５】
ここの（３回目；０−１−４画面）（図１０）の選択内容で間違った設定を行うと写らない場合がある。そこで、評価機能を設けるか、条件によっては入力されないことにする。
ここの設定項目で「ホワイトバランス手動設定」、「スローシャッター手動設定」については設定用画面が現れる。
【００２６】
（１回目；０画面）（図２）の「１、カメラ撮影。２、動画撮影。３、再生。４、従来操作法に変更。」の項目のうち「２、動画撮影。３、再生。」については「１、カメラ撮影。」の内容と同様にして設定が可能なので説明を省略する。
（１回目；０画面）の「４、従来操作法に変更。」は、本発明の操作設定の仕方ではなく、従来のデジタルカメラの操作方法で設定するモードに変更する。
【００２７】
上記の構成変更は選択した項目から判断したが、構成変更の条件は総合的な判断で行われセンサーの情報に基づくものでも良い。
ユーザーが実際に使用する場合は、同じ環境で続けて何枚も撮影することが多く、以前に設定した内容が要約されて最初の選択画面に盛り込まれることにより、2回目からの設定操作が簡易化される。こうした構成が数多く作られると、さらに操作が簡易化されることになる。
【図面の簡単な説明】
【００２８】
【図１】設定項目が表示された画面と画面ごとのつながりを示す表示画面説明図。
【図２】図１の（１回目；０画面）の画面表示。
【図３】図１の（２回目；０−１画面）の画面表示。
【図４】図１の（３回目；０−１−１画面）の画面表示。
【図５】図１の（４回目；０−１−１−１画面）の画面表示。
【図６】図１の（５回目；０−１−１−１−１０画面）の画面表示。
【図７】図１の（４回目；０−１−１−９画面）の画面表示。
【図８】図１の（３回目；０−１−２画面）の画面表示。
【図９】図１の（３回目；０−１−３画面）の画面表示。
【図１０】図１の（３回目；０−１−４画面）の画面表示。
【図１１】図１の（５回目；０−１−１−９−１画面）の画面表示。
【手続補正３】
【補正対象書類名】図面
【補正対象項目名】図２
【補正方法】追加
【補正の内容】
【図２】
2006163448.tif 000001
【手続補正４】
【補正対象書類名】図面
【補正対象項目名】図３
【補正方法】追加
【補正の内容】
【図３】
2006163448.tif 000002
【手続補正５】
【補正対象書類名】図面
【補正対象項目名】図４
【補正方法】追加
【補正の内容】
【図４】
2006163448.tif 000003
【手続補正６】
【補正対象書類名】図面
【補正対象項目名】図５
【補正方法】追加
【補正の内容】
【図５】
2006163448.tif 000004
【手続補正７】
【補正対象書類名】図面
【補正対象項目名】図６
【補正方法】追加
【補正の内容】
【図６】
2006163448.tif 000005
【手続補正８】
【補正対象書類名】図面
【補正対象項目名】図７
【補正方法】追加
【補正の内容】
【図７】
2006163448.tif 000006
【手続補正９】
【補正対象書類名】図面
【補正対象項目名】図８
【補正方法】追加
【補正の内容】
【図８】
2006163448.tif 000007
【手続補正１０】
【補正対象書類名】図面
【補正対象項目名】図９
【補正方法】追加
【補正の内容】
【図９】
2006163448.tif 000008
【手続補正１１】
【補正対象書類名】図面
【補正対象項目名】図１０
【補正方法】追加
【補正の内容】
【図１０】
2006163448.tif 000009
【手続補正１２】
【補正対象書類名】図面
【補正対象項目名】図１１
【補正方法】追加
【補正の内容】
【図１１】
2006163448.tif 000010